【手続補正書】
【提出日】平成17年8月3日(2005.8.3)
【手続補正１】
【補正対象書類名】特許請求の範囲
【補正対象項目名】全文
【補正方法】変更
【補正の内容】
【特許請求の範囲】
【請求項１】
システム発振器から取り出される第１のクロック信号を必要とする第１のモジュールであって、前記第１のクロック信号が必要であることを示す第１の状態と、前記第１のクロック信号が必要ではないことを示す第２の状態とを有する第１のインジケータ信号を提供する、前記第１のモジュールと、
前記システム発振器から取り出される第２のクロック信号を必要とする第２のモジュールであって、前記第２のクロック信号が必要であることを示す第１の状態と、前記第２のクロック信号が必要でないことを示す第２の状態とを有する第２のインジケータ信号を提供する、前記第２のモジュールと、
前記第１および第２のインジケータ信号に応答して、前記第１のインジケータ信号が前記第２状態にあり、かつ前記第２のインジケータ信号が前記第２の状態にあるときに、前記システム発振器を動作不能にするとともに、イネーブル信号に応答して前記システム発振器を動作可能にする電力管理回路とを含む、無線用途のベースバンドプロセッサ。
【請求項２】
電力管理回路が、第１のインジケータ信号が第２の状態にあるときに、第１のクロック信号が第１のモジュールへ通過するのを阻止し、第２のインジケータ信号が第２の状態にあるときに、第２のクロック信号が第２のモジュールへ通過するのを阻止する回路をさらに含む、請求項１に記載のプロセッサ。
【請求項３】
第２のモジュールが、タイミング・事象プロセッサを含み、電力管理回路が、第２のインジケータ信号が第１の状態になるときにシステム発振器を動作可能にする回路をさらに含む、請求項１に記載のプロセッサ。
【請求項４】
電力管理回路が、割込み信号の受領に応答してシステム発振器を動作可能にする、請求項１に記載のプロセッサ。
【請求項５】
電力管理回路が、第１のモジュールに割込み信号を送ることによって、第１モジュールをアイドル状態から抜けさせる、請求項１に記載のプロセッサ。
【請求項６】
第２のモジュールが、アイドル状態から出ると、第１のインジケータ信号を第１の状態にさせる、請求項５に記載のプロセッサ。
【請求項７】
電力管理回路が、第１のモジュールに割込み信号を送ることによって、第２のモジュールをアイドル状態から抜けさせる、請求項１に記載のプロセッサ。
【請求項８】
第２のモジュールが、アイドル状態から出ると、第２のインジケータ信号を、第１の状態にさせる、請求項７に記載のプロセッサ。
【請求項９】
電力管理回路が、発振器を動作可能にした後、ある時間、前記システム発振器の出力を阻止する回路を含む、請求項１に記載のプロセッサ。
【請求項１０】
システム発振器の出力を阻止する回路が、発振器ウォームアップ時間として前記時間を記憶するレジスタと、前記発振器ウォームアップ時間が満了した時期を判定するカウンタとを含む、請求項９に記載のプロセッサ。
【請求項１１】
システム発振器の出力を阻止する回路が、ウォームアップ時間が満了したときにシステム発振器出力の通過を許可する手段を含む、請求項１０に記載のプロセッサ。
【請求項１２】
第１および第２のモジュールのタイミング動作のためのタイミング・事象信号を生成するタイミング・事象プロセッサであって、システム発振器から取り出される第３のクロック信号を使用して、前記第３のクロック信号が必要でないことを示す第１の状態と、前記第３のクロック信号が必要であることを示す第２の状態とを有する第３のインジケータ信号を提供する、前記タイミング・事象プロセッサをさらに含み、前記タイミング・事象プロセッサが、低速クロック発振器から取り出される第４のクロック信号を受け取り、かつ前記タイミング・事象プロセッサが、第３のインジケータ信号が第２の状態にあるときに動作を続ける、請求項１に記載のプロセッサ。
【請求項１３】
タイミング・事象プロセッサが、第１のモジュールおよび第２のモジュールからなる群の少なくとも１つがシステム発振器の使用を必要とするときに、第３のインジケータ信号を第１の状態に変更することによって、所定の時刻にシステム発振器を動作可能にする、請求項１２に記載のプロセッサ。
【請求項１４】
タイミング・事象プロセッサが、割込み信号を第１のモジュールに送ることによって、第１のモジュールをアイドル状態から抜けさせる、請求項１２に記載のプロセッサ。
【請求項１５】
第１のモジュールが、アイドル状態から出ると、第１のインジケータ信号を第１の状態にする、請求項１４に記載のプロセッサ。
【請求項１６】
タイミング・事象プロセッサが、割込み信号を第２のモジュールに送ることによって、第２のモジュールをアイドル状態から抜けさせる、請求項１２に記載のプロセッサ。
【請求項１７】
第２のモジュールが、アイドル状態から出ると、第２のインジケータ信号を第１の状態にする、請求項１６に記載のプロセッサ。
【請求項１８】
無線用途のベースバンドプロセッサにおいて、
システム発振器から取り出される第１のクロック信号を必要とする第１のモジュールから第１のインジケータ信号を受け取るステップであって、前記第１のインジケータ信号が、前記第１のクロック信号が必要であることを示す第１の状態と、前記第１のクロック信号が必要ではないことを示す第２の状態とを有する前記ステップと、
前記システム発振器から取り出される第２のクロック信号を必要とする第２のモジュールから第２のインジケータ信号を受け取るステップであって、前記第２のインジケータ信号が、前記第２のクロック信号が必要であることを示す第１の状態と、前記第２のクロック信号が必要でないことを示す第２の状態とを有する前記ステップと、
前記第１のインジケータ信号が前記第２の状態にあり、かつ前記第２のインジケータ信号が前記第２の状態にあるときに、前記システム発振器を動作不能にするステップと、
システム発振器出力が、前記第１のモジュールおよび前記第２のモジュールを含む群の少なくとも１つによって必要とされるときに、前記システム発振器を動作可能にするステップとを含む方法。
【請求項１９】
第１のインジケータ信号が第２の状態にあるときに、第１のクロック信号が第１のモジュールへ通過するのを阻止し、第２のインジケータ信号が第２の状態にあるときに、第２のクロック信号が第２のモジュールへ通過するのを阻止するステップをさらに含む、請求項１８に記載の方法。
【請求項２０】
発振器を動作不能にする操作が、前記発振器を動作可能にした後、ある時間、前記システム発振器の出力を阻止するステップをさらに含む、請求項１８に記載の方法。
【請求項２１】
システム発振器の出力を阻止する操作が、発振器ウォームアップ時間として前記時間を記憶し、カウンタを使用して前記発振器ウォームアップ時間が満了した時期を判定するステップをさらに含む、請求項２０に記載の方法。
【請求項２２】
システム発振器の出力を阻止する操作が、ウォームアップ時間が満了したときに前記システム発振器の出力の通過を許可するステップをさらに含む、請求項２１に記載の方法。
【請求項２３】
第１および第２のモジュールのタイミング動作のためのタイミング・事象信号を生成するタイミング・事象プロセッサを設けるステップであって、前記タイミング・事象プロセッサが、システム発振器から取り出される第３のクロック信号を使用して、第３のクロック信号が必要でないことを示す第１の状態と、前記第３のクロック信号が必要であることを示す第２の状態とを有する第３のインジケータ信号を提供するステップをさらに含み、前記タイミング・事象プロセッサが、低速クロック発振器から取り出される第４のクロック信号を受け取る方法であって、前記第３のインジケータ信号が第２の状態にあるときに前記第４のクロック信号を使用して前記タイミング・事象プロセッサを動作させるステップをさらに含む、請求項２２に記載の方法。
【請求項２４】
第１のモジュールおよび第２のモジュールからなる群の少なくとも１つがシステム発振器の使用を必要とするときに、第３のインジケータ信号の状態を第１の状態に変更することによって、正確に所定の時刻に、タイミング・事象プロセッサがシステム発振器を動作可能にするステップをさらに含む、請求項２３に記載の方法。
【請求項２５】
システム発振器から取り出される第１のクロック信号を必要とする第１のモジュールであって、前記第１のクロック信号が必要であることを示す第１の状態と、前記第１のクロック信号が必要ではないことを示す第２の状態とを有する第１のインジケータ信号を提供する、前記第１のモジュールと、
前記システム発振器から取り出される第２のクロック信号を必要とする第２のモジュールであって、前記第２のクロック信号が必要であることを示す第１の状態と、前記第２のクロック信号が必要でないことを示す第２の状態とを有する第２のインジケータ信号を提供する、前記第２のモジュールと、
前記第１のインジケータ信号が前記第２の状態にあるときに、前記第１のクロック信号が前記第１のモジュールへ通過するのを阻止し、前記第２のインジケータ信号が第２の状態にあるときに、前記第２のクロック信号が前記第２のモジュールへ通過するのを阻止し、かつ前記第１のインジケータ信号が前記第１の状態にあるときに、前記第１のクロック信号が通過するのを許可し、かつ前記第２のインジケータ信号が前記第１の状態にあるときに、前記第２のクロック信号が通過するのを許可する電力管理回路とを含む、無線用途のベースバンドプロセッサ。
【請求項２６】
電力管理回路が、第１のインジケータ信号が第１の状態にあるときに、第１のクロック信号および第２のクロック信号を含む群の少なくとも１つをプロセッサが必要とするかどうかを示す第１のレジスタと、第１のインジケータ信号が第２の状態にあるときに、第１のクロック信号および第２のクロック信号を含む群の少なくとも１つを前記プロセッサが必要とするかどうかを示す第２のレジスタを含む、請求項２５に記載のプロセッサ。
【請求項２７】
電力管理回路が、第２のインジケータ信号が第１の状態にあるときに、第１のクロック信号および第２のクロック信号を含む群の少なくとも１つをプロセッサが必要とするかどうかを示す第１のレジスタと、第２のインジケータ信号が第２の状態にあるときに、第１のクロック信号および第２のクロック信号を含む群の少なくとも１つを前記プロセッサが必要とするかどうかを示す第２のレジスタを含む、請求項２６に記載のプロセッサ。
【請求項２８】
システム発振器が生成する第３のクロック信号の周波数を増大させて、第１のクロック信号を生成する、位相同期ループ回路と、
第１のインジケータ信号が第２の状態にあるときに、第３のクロック信号に前記位相同期ループ回路をバイパスさせて、第１のクロック信号として作用させる、位相同期ループバイパスとをさらに含む、請求項１または２５に記載のプロセッサ。
【請求項２９】
無線用途のベースバンドプロセッサにおいて、
システム発振器から取り出される第１のクロック信号を必要とする第１のモジュールからの第１のインジケータ信号を受け取るステップであって、前記第１のインジケータ信号が、前記第１のクロック信号が必要であることを示す第１の状態と、前記第１のクロック信号が必要ではないことを示す第２の状態とを有する前記ステップと、
前記システム発振器から取り出される第２のクロック信号を必要とする第２のモジュールからの第２のインジケータ信号を受け取るステップであって、前記第２のインジケータ信号が、前記第２のクロック信号が必要であることを示す第１の状態と、前記第２のクロック信号が必要でないことを示す第２の状態とを有する前記ステップと、
前記第１のインジケータ信号が前記第２の状態にあるときに、前記第１のクロック信号が前記第１のモジュールへ通過するのを阻止し、前記第２のインジケータ信号が前記第２の状態にあるときに、前記第２のクロック信号が前記第２のモジュールへ通過するのを阻止し、かつ前記第１のインジケータ信号が前記第１の状態にあるときに、前記第１のクロック信号が前記第１のモジュールへ通過するのを許可し、かつ前記第２のインジケータ信号が前記第１の状態にあるときに、前記第２のクロック信号が前記第２のモジュールへ通過するのを許可するステップとを含む、方法。
【請求項３０】
通過を阻止する操作が、第１のインジケータ信号が第１の状態にあるときに、第１のクロック信号および第２のクロック信号を含む群の少なくとも１つをプロセッサが必要とするかどうかを示す第１のレジスタを設けるステップと、第１のインジケータ信号が第２の状態にあるときに、第１のクロック信号および第２のクロック信号を含む群の少なくとも１つを前記プロセッサが必要とするかどうかを示す第２のレジスタを設けるステップとをさらに含む、請求項２９に記載の方法。
【請求項３１】
通過を防止する操作が、第２のインジケータ信号が第１の状態にあるときに、第１のクロック信号および第２のクロック信号を含む群の少なくとも１つをプロセッサが必要とするかどうかを示す第１のレジスタを設けるステップと、第２のインジケータ信号が第２の状態にあるときに、第１のクロック信号および第２のクロック信号を含む群の少なくとも１つを前記プロセッサが必要とするかどうかを示す第２のレジスタを設けるステップとをさらに含む、請求項３０に記載の方法。
【請求項３２】
システム発振器によって生成される第３のクロック信号の周波数を増大させて第１のクロック信号を生成する、位相同期ループ回路を設けるステップと、
第１のインジケータ信号が第２の状態のときに、前記第３のクロック信号に前記位相同期ループ回路をバイパスさせて、前記第１のクロック信号として作用させるステップとをさらに含む、請求項１８または２９に記載の方法。
【請求項３３】
システム発振器から取り出される第１のクロック信号を必要とする第１のモジュールであって、前記第１のクロック信号が必要であることを示す第１の状態と、前記第１のクロック信号が必要ではないことを示す第２の状態とを有する第１のインジケータ信号を提供する、前記第１のモジュールと、
前記第１のインジケータ信号に応答して、前記第１のインジケータ信号が前記第２状態にあるときに、前記システム発振器を動作不能にするとともに、イネーブル信号に応答して、前記システム発振器を動作可能にする電力管理回路とを含む、無線用途のベースバンドプロセッサ。
【請求項３４】
無線用途のベースバンドプロセッサにおいて、
システム発振器から取り出される第１のクロック信号を必要とする第１のモジュールからの第１のインジケータ信号を受け取るステップであって、前記第１のインジケータ信号が、前記第１のクロック信号が必要であることを示す第１の状態と、前記第１のクロック信号が必要ではないことを示す第２の状態とを有する前記ステップと、
前記第１のインジケータ信号が前記第２の状態にあるときに、前記システム発振器を動作不能にするステップと、
前記第１のモジュールが前記システム発振器を必要とするときに、前記システム発振器を動作可能にするステップとを含む、方法。
【手続補正２】
【補正対象書類名】明細書
【補正対象項目名】０００４
【補正方法】変更
【補正の内容】
【０００４】
発明の概要
本発明の第１の態様によれば、ディジタルベースバンドプロセッサが提供される。このディジタルベースバンドプロセッサは、システム発振器から取り出される第１のクロック信号を必要とする第１のモジュールであって、第１のクロック信号が必要であることを示す第１の状態と、第１のクロック信号が必要ではないことを示す第２の状態とを有する第１のインジケータ信号を提供する、前記第１のモジュールと、前記システム発振器から取り出される第２のクロック信号を必要とする第２のモジュールであって、第２のクロック信号が必要であることを示す第１の状態と、第２のクロック信号が必要でないことを示す第２の状態と有する第２のインジケータ信号を提供する、前記第２のモジュールと、前記第１および第２のインジケータ信号に応答して、前記第１のインジケータ信号が第２状態にあり、かつ前記第２のインジケータ信号が第２の状態にあるときに、前記システム発振器を動作不能にするとともに、イネーブル信号に応答して前記システム発振器を動作可能にする電力管理回路とを含む。
【手続補正３】
【補正対象書類名】明細書
【補正対象項目名】０００６
【補正方法】変更
【補正の内容】
【０００６】
本発明のさらに別の態様によれば、無線用途のベースバンドプロセッサが提供される。このベースバンドプロセッサは、システム発振器から取り出される第１のクロック信号を必要とする第１のモジュールであって、前記第１のクロック信号が必要であることを示す第１の状態と、前記第１のクロック信号が必要ではないことを示す第２の状態とを有する第１のインジケータ信号を提供する、前記第１のモジュールと、前記システム発振器から取り出される第２のクロック信号を必要とする第２のモジュールであって、前記第２のクロック信号が必要であることを示す第１の状態と、前記第２のクロック信号が必要でないことを示す第２の状態とを有する第２のインジケータ信号を提供する、前記第２のモジュールと、前記第１のインジケータ信号が前記第２の状態にあるときに、前記第１のクロック信号が前記第１のモジュールへ通過するのを阻止し、前記第２のインジケータ信号が第２の状態にあるときに、前記第２のクロック信号が前記第２のモジュールへ通過するのを阻止し、かつ前記第１のインジケータ信号が前記第１の状態にあるときに、前記第１のクロック信号が通過するのを許可し、かつ前記第２のインジケータ信号が前記第１の状態にあるときに、前記第２のクロック信号が通過するのを許可する、電力管理回路とを含む。